(57)【要約】【課題】母線の数が増えても寸法及びコストの増大を抑制し得る電圧調整装置を提供する。【解決手段】制御対象母線の切替を行う切替器１２と、切替器１２による切替後の母線電圧を入力する入力変換器１４と、入力変換器１４からのアナログ情報をディジタル情報に変換するアナログ／ディジタル変換器１５と、予め設定された優先順位に従って、アナログ／ディジタル変換器１５から受信した情報により、母線の電圧の有無と母線に接続されている変圧器及び調相設備の有無を確認し、条件が合致しない場合は切替器１２に切替指令を送信する系統判別処理部１６と、制御対象母線の情報を基に演算・論理処理を行う演算処理部１７と、演算・論理処理の結果を基に変圧器又は調相設備に制御指令を送出する制御出力部１８と、を備える。【選択図】図１
2015033147.tif 000002
【特許請求の範囲】
【請求項１】
制御対象母線の切替を行う切替器と、
該切替器による切替後の母線電圧を入力する入力変換器と、
該入力変換器からのアナログ情報をディジタル情報に変換するアナログ／ディジタル変換器と、
予め設定された優先順位に従って、前記アナログ／ディジタル変換器から受信した情報により、母線の電圧の有無と母線に接続されている変圧器及び調相設備の有無を確認し、条件が合致しない場合は前記切替器に切替指令を送信する系統判別処理部と、
前記制御対象母線の情報を基に演算・論理処理を行う演算処理部と、
前記演算・論理処理の結果を基に変圧器又は調相設備に制御指令を送出する制御出力部と、
を備える電圧調整装置。
【請求項２】
各母線電圧の有無を電気量にて判定し、判定した情報を前記系統判別処理部に出力する電圧判定部を前記切替器の前段に設け、前記系統判別処理部は、前記電圧判定部から入力された母線電圧の有無の情報と母線に接続されている変圧器及び調相設備の有無を予め設定された優先順位に従って確認し、条件が合致した場合に前記切替器に切替指令を送信する請求項１記載の電圧調整装置。
【請求項３】
前記母線は、甲１母線、乙１母線、甲２母線及び乙２母線からなり、前記切替器は、これらのいずれかの母線を選択する請求項１又は２記載の電圧調整装置。
【発明の詳細な説明】
【技術分野】
【０００１】
本発明の実施形態は、母線の数が増えても寸法及びコストの増大を抑制し得る電圧調整装置に関する。
【背景技術】
【０００２】
電圧調整装置は、電力系統を安定に保つ目的で変電所に設置され、変電所内の母線電圧を事前に設定した電圧値に維持するために、母線構成に応じ制御対象となる変圧器のタップチェンジャー(以降「タップ」と呼ぶ)、調相設備を自動で選択し、母線電圧の演算処理結果から変圧器のタップまたは調相設備の遮断器を制御する装置である。
【０００３】
電圧調整装置が制御する変圧器のタップまたは調相設備の遮断器は、電圧を維持する対象の母線と接続している必要があるが、変圧器または調相設備に接続する母線が接続形態によって複数存在する場合は、電圧の有無や予め決められた優先順位によって演算処理する代表母線電圧を選定する必要があるため、母線電圧を全て取り込むことが一般的である。
【０００４】
そのため設置される変電所の系統によっては、電圧調整装置の入力変換器及びアナログ／ディジタル変換器のチャンネル数を電圧維持対象の母線の数だけ準備する必要があった。
【０００５】
従来の電圧調整装置について図５乃至図７を用いて説明する。
図５は、従来の電圧調整装置を２重母線４ブスタイに適用した例を示す概略図である。適用される母線は、ブスセクＣＢ１  ５１とブスセクＣＢ２  ５２、ブスタイＣＢ１  ５３とブスタイＣＢ２  ５４の開閉によって、甲１母線６３、甲２母線６５、乙１母線６４、乙２母線６６に分割される。また、変圧器または調相設備１（以後、「変圧器／調相設備１」とも記す）５５は、機器ＣＢ１  ５７、ＬＳ１  ５８、ＬＳ２  ５９の開閉によって甲１母線６３または乙１母線６４に接続される。他方、変圧器または調相設備２（以後、「変圧器／調相設備２」とも記す）５６は、機器ＣＢ２  ６０、ＬＳ３  ６１、ＬＳ４  ６２の開閉によって甲２母線６５または乙２母線６６に接続される。電圧調整装置４１は、甲１母線６３、乙１母線６４、甲２母線６５、乙２母線６６の各々のＰＴ１  １、ＰＴ２  ２、ＰＴ３  ３、ＰＴ４  ４から母線電圧を取り込み、母線電圧の有無、系統の構成及び変圧器や調相設備の接続形態を判別して各機器に適切な制御を実施している。
【０００６】
図６は、上記電圧調整装置の詳細な構成を示すブロック図である。電圧調整装置４１は、演算ユニット４２内の入力変換器１４に甲１母線のＰＴ１  １、乙１母線のＰＴ２  ２、甲２母線のＰＴ３  ３、乙２母線のＰＴ４  ４から全ての母線電圧を取り込み、入力された電気量をアナログ／ディジタル変換器１５にて変換し、系統判別処理部４３にて各母線電圧の有無、母線と変圧器または調相設備の接続状態から演算処理対象母線を判別し、演算処理部１７で演算処理を行った後、制御出力部１８により制御対象となる変圧器または調相設備１９（以後、「変圧器／調相設備１９」とも記す）に制御出力を行う。
【０００７】
図７は、従来の電圧調整装置を２重母線４ブスタイに適用した場合の系統判別処理手順を示すフローチャートである。図７において、母線電圧の演算処理（Ｓ５４）の優先順位を甲１母線→乙１母線→甲２母線→乙２母線とした場合について説明する。なお、図７における枠内の処理は、系統判別処理部４３における処理を示している。
【０００８】
まず、甲１母線の電圧の有無を判定し（Ｓ４１）、電圧が有る場合（Ｓ４１でＹｅｓ）は甲１母線に接続されている変圧器及び調相設備の有無確認（Ｓ４２）へ進む。他方、電圧が無い場合（Ｓ４１でＮｏ）は乙１母線の電圧有無の判定（Ｓ４４）へ進む。
【０００９】
次に、ステップＳ４２において、甲１母線に接続されている変圧器及び調相設備の有無を確認する。接続確認された場合（Ｓ４２でＹｅｓ）は演算処理対象母線を甲１検出に設定し（Ｓ４３）、演算処理を行い（Ｓ５４）、制御出力して（Ｓ５５）、終了する。他方、ステップＳ４２において接続確認されない場合（Ｓ４２でＮｏ）は、乙１母線の電圧有無の判定（Ｓ４４）へ進む。
【００１０】
同様の処理を乙１母線（Ｓ４４〜Ｓ４６、Ｓ５４、Ｓ５５）、甲２母線（Ｓ４７〜Ｓ４９、Ｓ５４、Ｓ５５）、乙２母線（Ｓ５０〜Ｓ５２、Ｓ５４、Ｓ５５）に対して順次行い、演算処理対象となる母線がない場合（Ｓ５１でＮｏ）は、制御対象なし（Ｓ５３）として処理を終了する。
【００１１】
上述のような従来の電圧調整装置４１では、演算処理対象となる母線の数Ｎに対して、３相×Ｎ母線＝３Ｎ量の電気量を取り込む必要がある。このため、変電所の母線の数が増大すると、演算ユニット４２の制約から実現が困難となる場合もある。なぜなら、入力変換器１４は入力チャンネル毎に独立した補助トランスで構成されているため、チャンネル数が増えることで、サイズが大きくなり、重量も重くなるためコストが増大するし、同様に、アナログ／ディジタル変換器１５においても、チャンネル数が増えることで回路が複雑になり、コスト増大につながるからである。
【００１２】
これに対し、切替器においては、単純に電気回路を接点で切替える機能のみで構成されるため、チャンネル数の増加に対しては切替える接点の数を増やすだけで対応できる。このため、入力変換器１４とアナログ／ディジタル変換器１５のチャンネル数増加のコストを比較すると、切替接点数を増やすコストのほうがはるかに安価で構成できる。
【先行技術文献】
【特許文献】
【００１３】
【特許文献１】特開２０１１−１５２０２１号公報
【発明の概要】
【発明が解決しようとする課題】
【００１４】
本発明の実施形態は、母線の数が増えても寸法及びコストの増大を抑制し得る電圧調整装置を提供することを目的とする。
【課題を解決するための手段】
【００１５】
上述の目的を達成するため、本発明の実施形態に係る電圧調整装置は、制御対象母線の切替を行う切替器と、該切替器による切替後の母線電圧を入力する入力変換器と、該入力変換器からのアナログ情報をディジタル情報に変換するアナログ／ディジタル変換器と、予め設定された優先順位に従って、前記アナログ／ディジタル変換器から受信した情報により、母線の電圧の有無と母線に接続されている変圧器及び調相設備の有無を確認し、条件が合致しない場合は前記切替器に切替指令を送信する系統判別処理部と、前記制御対象母線の情報を基に演算・論理処理を行う演算処理部と、前記演算・論理処理の結果を基に変圧器又は調相設備に制御指令を送出する制御出力部と、を備えることを特徴とする。
【図面の簡単な説明】
【００１６】
【図１】本発明の第１の実施形態の電圧調整装置の詳細な構成を示すブロック図である。
【図２】本発明の第１の実施形態の電圧調整装置における系統判別処理手順を示すフローチャートである。
【図３】本発明の第２の実施形態の電圧調整装置の詳細な構成を示すブロック図である。
【図４】本発明の第２の実施形態の電圧調整装置における系統判別処理手順を示すフローチャートである。
【図５】従来の電圧調整装置を２重母線４ブスタイに適用した例を示す概略図である。
【図６】従来の電圧調整装置の詳細な構成を示すブロック図である。
【図７】従来の電圧調整装置を２重母線４ブスタイに適用した場合の系統判別処理手順を示すフローチャートである。
【図８】２重母線７ブスタイの構成例を示す概略図である。
【発明を実施するための形態】
【００１７】
以下、本発明の実施形態について、図面を参照して具体的に説明する。
【００１８】
［第１の実施形態］
（構成）
図１は、本発明の第１の実施形態の電圧調整装置の詳細な構成を示すブロック図である。電圧調整装置１１は、制御対象母線の切替を行う切替器１２と、当該母線からの情報を基に演算・論理処理を行う演算ユニット１３とから構成される。切替器１２は、３つの切替器１２ａ、１２ｂ、１２ｃからなり、切替器１２ａは、甲１母線の電圧を取り込むＰＴ１  １と乙１母線の電圧を取り込むＰＴ２  ２との切替えを行う切替スイッチ１を含んでいる。同様に、切替器１２ｃは、甲２母線の電圧を取り込むＰＴ３  ３と乙２母線の電圧を取り込むＰＴ４  ４との切替えを行う切替スイッチ３を含み、切替器１２ｂは、切替器１２ａ及び切替器１２ｃのいずれかを選択する切替スイッチ２を含んでいる。
【００１９】
演算ユニット１３は、切替器１２による切替後の母線電圧を入力する入力変換器１４と、入力変換器１４からのアナログ信号をディジタル信号に変換するアナログ／ディジタル変換器１５と、優先順位に従って母線の電圧の有無と母線に接続されている変圧器及び調相設備の有無を確認し、条件が合致しない場合は切替器１２に切替指令を送信する系統判別処理部１６と、制御対象母線の情報を基に演算・論理処理を行う演算処理部１７と、演算・論理処理の結果を基に変圧器／調相設備１９に制御指令を送出する制御出力部１８とで構成されている。
【００２０】
（作用）
図２は、本実施形態の電圧調整装置１１における系統判別処理手順を示すフローチャートである。図２において、母線電圧の演算処理（Ｓ１８）の優先順位を甲１母線→乙１母線→甲２母線→乙２母線とした場合について説明する。なお、図２における枠内の処理は、系統判別処理部１６及び切替器１２における処理を示している。
【００２１】
まず、電圧調整装置１１の系統判別処理部１６は、初期状態として切替スイッチ１をＰＴ１（甲１母線）側に接続し、切替スイッチ２を切替器１２ａ（甲１・乙１）側に接続し、切替スイッチ３をＰＴ３（甲２母線）側に接続する処理を行う（Ｓ１）。次に、甲１母線の電圧の有無を判定し（Ｓ２）、電圧が有る場合（Ｓ２でＹｅｓ）は甲１母線に接続されている変圧器及び調相設備の有無確認（Ｓ３）へ進む。他方、電圧が無い場合（Ｓ２でＮｏ）は、切替スイッチ１に指令を出力し（Ｓ５）、乙１母線の電圧有無の判定（Ｓ６）へ進む。
【００２２】
次に、ステップＳ３において、甲１母線に接続されている変圧器及び調相設備の有無を確認する。接続確認された場合（Ｓ３でＹｅｓ）は演算処理対象母線を甲１検出に設定し（Ｓ４）、演算処理を行い（Ｓ１８）、制御出力して（Ｓ１９）、終了する。他方、ステップＳ３において接続確認されない場合（Ｓ３でＮｏ）は、切替スイッチ１に指令を出力し（Ｓ５）、乙１母線の電圧有無の判定（Ｓ６）へ進む。
【００２３】
同様にして乙１母線の電圧の有無を判定し（Ｓ６）、電圧が有る場合（Ｓ６でＹｅｓ）は乙１母線に接続されている変圧器及び調相設備の有無確認（Ｓ７）へ進む。他方、電圧が無い場合（Ｓ６でＮｏ）は、切替スイッチ２に指令を出力し（Ｓ９）、甲２母線の電圧有無の判定（Ｓ１０）へ進む。次に、ステップＳ７において、乙１母線に接続されている変圧器及び調相設備の有無を確認する。接続確認された場合（Ｓ７でＹｅｓ）は演算処理対象母線を乙１検出に設定（Ｓ８）し、演算処理を行い（Ｓ１８）、制御出力して（Ｓ１９）、終了する。他方、ステップＳ７において接続確認されない場合（Ｓ７でＮｏ）は、切替スイッチ２に指令を出力し（Ｓ９）、甲２母線の電圧有無の判定（Ｓ１０）へ進む。
【００２４】
同様にして甲２母線の電圧の有無を判定し（Ｓ１０）、電圧が有る場合（Ｓ１０でＹｅｓ）は甲２母線に接続されている変圧器及び調相設備の有無確認（Ｓ１１）へ進む。他方、電圧が無い場合（Ｓ１０でＮｏ）は、切替スイッチ３に指令を出力し（Ｓ１３）、乙２母線の電圧有無の判定（Ｓ１４）へ進む。次に、ステップＳ１１において、甲２母線に接続されている変圧器及び調相設備の有無を確認する。接続確認された場合（Ｓ１１でＹｅｓ）は演算処理対象母線を甲２検出に設定（Ｓ１２）し、演算処理を行い（Ｓ１８）、制御出力して（Ｓ１９）、終了する。他方、ステップＳ１１において接続確認されない場合は（Ｓ１１でＮｏ）、切替スイッチ３に指令を出力し（Ｓ１３）、乙２母線の電圧有無の判定（Ｓ１４）へ進む。
【００２５】
同様にして乙２母線の電圧の有無を判定し（Ｓ１４）、電圧が有る場合（Ｓ１４でＹｅｓ）は乙２母線に接続されている変圧器及び調相設備の有無確認（Ｓ１５）へ進む。他方、電圧が無い場合（Ｓ１４でＮｏ）は、演算処理対象となる母線がない場合として、制御対象なしの処理を行い（Ｓ１７）、終了する。次に、ステップＳ１５において、乙２母線に接続されている変圧器及び調相設備の有無を確認する。接続確認された場合（Ｓ１５でＹｅｓ）は演算処理対象母線を乙２検出に設定（Ｓ１６）し、演算処理を行い（Ｓ１８）、制御出力して（Ｓ１９）、終了する。他方、ステップＳ１５において接続確認されない場合は（Ｓ１５でＮｏ）、演算処理対象となる母線がない場合として、制御対象なしの処理を行い（Ｓ１７）、終了する。
【００２６】
（効果）
本実施形態によれば、系統判別処理部１６からの切替指令により入力する母線を切替える切替器１２と、優先順位に従って母線の電圧の有無と母線に接続されている変圧器及び調相設備の有無を確認し、条件が合致しない場合は切替器１２に切替指令を送信する系統判別処理部１６と、を備えることにより、入力変換器１４及びアナログ／ディジタル変換器１５に入力される電圧が１母線分に固定される。このため、変電所の母線構成が増加した場合でも、寸法及びコストの増大を抑制しつつ、従来と同等の機能を実現することが可能となる。
【００２７】
［第２の実施形態］
（構成）
図３は、本発明の第２の実施形態の電圧調整装置の詳細な構成を示すブロック図である。なお、第１の実施形態と同一の構成については同一の符号を付し重複する説明は省略する。
【００２８】
図３に示すように、本実施形態の電圧調整装置２１は、電圧判定部２３及び系統判別処理部２４を有している以外は、第１の実施形態の電圧調整装置１１と同様に構成されている。電圧判定部２３は、各母線電圧の有無を電気量にて判定し、判定した情報を系統判別処理部２４に出力する機能を有する。系統判別処理部２４は、電圧判定部２３から入力された母線電圧の有無の情報と母線に接続されている変圧器及び調相設備の有無を優先順位に従って確認し、条件が合致した場合に切替器１２に切替指令を送信する機能を有する。
【００２９】
すなわち、本実施形態では、第１の実施形態の系統判別処理部１６にて実施していた電圧有無の判定を切替器１２の前に電圧判定部２３で行うことで、各母線電圧の検出を事前に実施した上で演算対象となる母線電圧に切替えることを特徴とする。
【００３０】
（作用）
図４は、本実施形態の電圧調整装置２１における系統判別処理手順を示すフローチャートである。図４において、母線電圧の演算処理（Ｓ３８）の優先順位を甲１母線→乙１母線→甲２母線→乙２母線とした場合について説明する。なお、図４における枠内の処理は、系統判別処理部２４及び切替器１２における処理を示している。
【００３１】
まず、電圧判定部２３は、各母線電圧の有無を電気量にて判定し、判定した情報を系統判別処理部２４に出力する（Ｓ２０）。系統判別処理部２４は、電圧判定部２３から出力された甲１母線電圧の有無を検出し（Ｓ２１）、電圧が有る場合（Ｓ２１でＹｅｓ）は甲１母線に接続されている変圧器及び調相設備の有無確認（Ｓ２２）へ進む。他方、電圧が無い場合（Ｓ２１でＮｏ）は、乙１母線の電圧検出処理（Ｓ２５）へ進む。
【００３２】
次に、ステップＳ２２において、甲１母線に接続されている変圧器及び調相設備の有無を確認する。接続確認された場合（Ｓ２２でＹｅｓ）は切替スイッチ１，２を甲１母線に切替え（Ｓ２３）、演算処理対象母線を甲１検出に設定し（Ｓ２４）、演算処理を行い（Ｓ３８）、制御出力して（Ｓ３９）、終了する。他方、ステップＳ２２において接続確認されない場合（Ｓ２２でＮｏ）は、乙１母線の電圧検出処理（Ｓ２５）へ進む。
【００３３】
同様にして乙１母線電圧検出処理（Ｓ２５）では、電圧判定部２３から出力された乙１母線電圧の有無を検出処理し、電圧がある場合（Ｓ２５でＹｅｓ）は乙１母線に接続されている変圧器及び調相設備の有無確認（Ｓ２６）へ進む。他方、電圧が無い場合（Ｓ２５でＮｏ）は、甲２母線の電圧検出処理（Ｓ２９）へ進む。次に、ステップＳ２６において、乙１母線に接続されている変圧器及び調相設備の有無を確認する。接続確認された場合（Ｓ２６でＹｅｓ）は切替スイッチ１，２を乙１母線に切替え（Ｓ２７）、演算処理対象母線を乙１検出に設定し（Ｓ２８）、演算処理を行い（Ｓ３８）、制御出力して（Ｓ３９）、終了する。他方、ステップＳ２６において接続確認されない場合（Ｓ２６でＮｏ）は、甲２母線の電圧検出処理（Ｓ２９）へ進む。
【００３４】
同様にして甲２母線電圧検出処理（Ｓ２９）では、電圧判定部２３から出力された甲２母線電圧の有無を検出処理し、電圧がある場合（Ｓ２９でＹｅｓ）は甲２母線に接続されている変圧器及び調相設備の有無確認（Ｓ３０）へ進む。他方、電圧が無い場合（Ｓ２９でＮｏ）は、乙２母線の電圧検出処理（Ｓ３３）へ進む。次に、ステップ３０において、甲２母線に接続されている変圧器及び調相設備の有無を確認する。接続確認された場合（Ｓ３０でＹｅｓ）は切替スイッチ２，３を甲２母線に切替え（Ｓ３１）、演算処理対象母線を甲２検出に設定し（Ｓ３２）、演算処理を行い（Ｓ３８）、制御出力して（Ｓ３９）、終了する。他方、ステップＳ３０において接続確認されない場合（Ｓ３０でＮｏ）は、乙２母線の電圧検出処理（Ｓ３３）へ進む。
【００３５】
同様にして乙２母線電圧検出処理（Ｓ３３）では、電圧判定部２３から出力された乙２母線電圧の有無を検出処理し、電圧がある場合（Ｓ３３でＹｅｓ）は乙２母線に接続されている変圧器及び調相設備の有無確認（Ｓ３４）へ進む。他方、電圧が無い場合（Ｓ３３でＮｏ）は、演算処理対象となる母線がない場合として、制御対象なしの処理を行い（Ｓ３７）、終了する。次に、ステップＳ３４において、乙２母線に接続されている変圧器及び調相設備の有無を確認する。接続確認された場合（Ｓ３４でＹｅｓ）は切替器スイッチ２，３を乙２母線に切替え（Ｓ３５）、演算処理対象母線を乙２検出に設定し（Ｓ３６）、演算処理を行い（Ｓ３８）、制御出力して（Ｓ３９）、終了する。他方、ステップ３４において接続確認されない場合（Ｓ３４でＮｏ）は、演算処理対象となる母線がない場合として、制御対象なしの処理を行い（Ｓ３７）、終了する。
【００３６】
（効果）
本実施形態においても、第１の実施形態と同様に、入力変換器１４及びアナログ／ディジタル変換器１５に入力される電圧が１母線分に固定されるため、変電所の母線構成が増加した場合でも、寸法及びコストの増大を抑制しつつ、従来と同等の機能を実現することが可能となる。
【００３７】
さらに、本実施形態によれば、電圧判定部２３を設けることで第１の実施形態と比べて切替器１２にて制御対象となる母線電圧を切替える回数が減るため、演算処理までの時間が短縮され、高速演算等の演算開始までの時間を可能な限り短縮することが可能である。
【００３８】
[他の実施形態]
（１）上記の各実施形態では、母線電圧の演算処理の優先順位を甲１母線→乙１母線→甲２母線→乙２母線としたが、この順番だけでなく、甲１母線→甲２母線→乙１母線→乙２母線の順や、乙１母線→乙２母線→甲１母線→甲２母線の順とすることもできる。
【００３９】
（２）上記の各実施形態では、電圧調整装置を図５に示す様に、甲１母線、乙１母線、甲２母線、乙２母線による２重母線４ブスタイに適用した例を示したが、図８に示すように、甲１母線、乙１母線、甲２母線、乙２母線、甲３母線、乙３母線による２重母線７ブスタイに適用することも可能である。
【００４０】
（３）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１…ＰＴ１
２…ＰＴ２
３…ＰＴ３
４…ＰＴ４
１１…電圧調整装置
１２、１２ａ、１２ｂ、１２ｃ…切替器
１３…演算ユニット
１４…入力変換器
１５…アナログ／ディジタル変換器
１６…系統判別処理部
１７…演算処理部
１８…制御出力部
１９…変圧器／調相設備
２１…電圧調整装置
２２…演算ユニット
２３…電圧判定部
４１…電圧調整装置
４２…演算ユニット
４３…系統判別処理部
５１…ブスセクＣＢ１
５２…ブスセクＣＢ２
５３…ブスタイＣＢ１
５４…ブスタイＣＢ２
５５…変圧器／調相設備１
５６…変圧器／調相設備２
５７…機器ＣＢ１
５８…ＬＳ１
５９…ＬＳ２
６０…機器ＣＢ２
６１…ＬＳ３
６２…ＬＳ４
６３…甲１母線
６４…乙１母線
６５…甲２母線
６６…乙２母線
【図１】
2015033147.tif 000003
【図２】
2015033147.tif 000004
【図３】
2015033147.tif 000005
【図４】
2015033147.tif 000006
【図５】
2015033147.tif 000007
【図６】
2015033147.tif 000008
【図７】
2015033147.tif 000009
【図８】
2015033147.tif 000010